(57)【特許請求の範囲】
【請求項１】
電気接点スイッチおよび接点端子を有する基部と、二つの位置の間を軸回転可能となるように前記基部に固定された、はね避けを有するタンブラー部とを具え、
電気器具内側から、この器具の壁の開口部に取り付け可能で、
前記タンブラー部の作動部分が、取り付け後に前記はね避けを前記壁近傍の前記電気器具内側に配置するように、前記壁の開口部を通して少なくとも部分的に延在し、
前記タンブラー部の二つの対向する側壁が、前記はね避けと前記タンブラー部の作動部分との間に配置した窪みを有し、
前記壁の開口部の二つの対向する縁部上に配置した突起が取り付け後に前記タンブラー部の窪みと係合し、
前記基部が少なくとも二つの弾性リムを有し、これらリムの自由端が、取り付け後に前記壁の内面に対して係合する、
電気器具の壁の開口部内に取り付けるように適合させたタンブラースイッチであって、
前記はね避けと作動部分との間の窪みが、前記タンブラー部の側壁の長さ全体に亘って延在することを特徴とする、タンブラースイッチ。
【請求項２】
前記タンブラー部の少なくとも一つの他の側壁が、壁の開口部内に取り付けたときに、前記弾性リムの内一つの端部を収容するための、前記はね避けと前記タンブラー部の作動部分との間に配置した窪みを有することを特徴とする、請求項１記載のタンブラースイッチ。
【発明の詳細な説明】
本発明は、電気器具の壁の開口部内に取り付けるように適合させたタンブラースイッチに関するものであり、本スイッチは、電気接点スイッチおよび接点端子を有する基部と、二つの位置の間を軸回転可能となるように前記基部に固定された、はね避けを有するタンブラー部とを具え、電気器具内側から、この器具の壁の開口部に取り付け可能で、前記タンブラー部の作動部分が、取り付け後に前記はね避けを前記壁近傍の前記電気器具内側に配置するように、前記壁の開口部を通して少なくとも部分的に延在し、前記タンブラー部の二つの対向する側壁が、前記はね避けと前記タンブラー部の作動部分との間に配置した窪みを有し、前記壁の開口部の二つの対向する縁部上に配置した突起が取り付け後に前記タンブラー部の窪みと係合するものである。
こうしたタンブラースイッチは、英国特許出願公開第1542743号により公知である。この公知のスイッチのタンブラー部の作動部分には、タンブラー部に固定するためのキャップが設けられている。タンブラースイッチを、キャップをタンブラー部に固定すること無しに、電気器具内側の壁に垂直に取り付けたスイッチに取り付けるとき、作動部分は壁の開口部から少なくとも部分的に突出する。弾性リムの端部が、壁の内面に対してこれを押圧する。次いで、キャップを壁の外側からタンブラー部にスナップ嵌めする。キャップ側壁の二つの対面する側部の、キャップ中央において、部分的に環状をなす窪みが形成され、この窪みは、キャップをタンブラー部に固定した後に、壁の開口部の縁部の突起と係合する。したがって、窪みは、キャップをタンブラー部に固定するまで得られない。前記スイッチの取り付けのために、電気器具の外側から固定するための追加部分、例えばキャップが必要である。英国特許出願公開第1542743号に係るスイッチのもう一つの実施形態においては、部分的に環状をなす溝がタンブラー部の側壁に直接形成されている。それゆえ、この実施形態では追加のキャップは有していない。このスイッチは、壁の内側から開口部を通して作動部分を押し込むことにより取り付けられ、突起およびそれによって開口部と境界を接する縁部分が、タンブラー部の経路を許容するために引っ込まなければならない。突起は適切な取り付けのために傾斜している。最後に述べた方法は、非常に単純な取り付け方法ではあるが、こうしたスイッチは、現実には、むしろ許容誤差に影響され易いものとなる。種々の部品の壁を、スイッチを取り付けできるように十分な可撓性を有するものとしなければならないだけでなく、その上、スイッチの、例えば修理のための取り外しが簡単ではない。
本発明の目的は、電気器具の壁の開口部へ、その壁の内側から簡単に取り付けることのできるスイッチを提供することにある。
この目的のために、本発明は、はね避けと作動部分との間の窪みが、タンブラー部の側壁の長さ全体に亘って延在することを特徴とする。この結果として、壁の開口部に対するスイッチの取り付けが、スイッチを単純に揺動させる動作によって可能となり、突起は直接窪みと係合する。これをどのように確実に行うかについては、図面を参照して詳細に説明する。
本スイッチの好適な実施形態は、はね避けと作動部分との間の窪みが、タンブラー部の側壁の長さ全体に亘って延在することを特徴とする。スイッチを壁の開口部に取り付けた後には、作動部分を開口部にできるだけ正確に固定することが非常に望ましい。このことは、美感上の理由のみならず、はねた液体がスイッチを通して電気器具内に入り込んで電気部品と接触するのを防ぐためでもある。勿論、はね避けは、そのための他の防護によっても与えられる。スイッチを取り付けるとき、スイッチを揺動させる動作の間、弾性リムの一つが、まず開口部を通して延在する。揺動動作の間、弾性リムの端部は、その後開口部の縁部とタンブラー部との間に配置される。さらに測定を行うこと無しに、弾性リムの厚さはタンブラー部の作動部分と開口部の縁部との間に形成される隙間によって決定的なものとなる。揺動動作が完了すると、この弾性リムの端部は壁の背面でスナップ固定される。取り付け後に作動部分と開口部との間の隙間を最小化するため、弾性リムの端部が、揺動動作の終わりに、タンブラー部の窪みと係合する。好ましくは、二つの対面する側壁がこうした窪みを有し、その結果、取り付け中のスイッチの位置のための許容誤差が無くなる。電気器具の内側からのスイッチの取り外しは、弾性リムの一つを、作動部分の窪みと係合するまで後方に押圧することで非常に簡単なものとなる。その後、スイッチは、取り付け時の揺動動作と反対方向に揺動動作をさせることによって取り外すことができる。
ここで本発明を、図面に示す実施形態を参照して、より詳細に説明する。
図１は、本発明によるタンブラースイッチの斜視図である。
図２は、電気器具の壁に設けた開口部を示す図である。
図３および図４は、図１のスイッチの、これを壁に取り付ける途中の状態を示す側面図である。
図５は、図１のスイッチの取り付け後を示す側面図である。
本タンブラースイッチは、基部１およびタンブラー部２を具える。基部１は、電気接点ラグ３および図示しない電気スイッチ接点を有する。タンブラー部２は、ピボット軸４によって基部１と軸回転可能に接続している。タンブラー部は二つの位置を占めることができ、通常、その一つでは電気回路が閉じており、もう一つでは回路が開いている。しかしながら、この他、タンブラー部は、例えば三つの位置を占めることもできる。すなわち二つのスイッチオン位置および一つのスイッチオフ位置である。本タンブラースイッチは、電気器具の壁内に取り付けることを意図するものである。タンブラー部は、その下縁部に隣接したフランジ様の形状をなす、はね避け５を有する。タンブラー部はさらに作動部分６を有し、この作動部分は使用者によって所望の位置にセットできるものである。タンブラー部の二つの対面する長手方向の壁７には窪み８が設けられ、この窪みは作動部分６とはね避け５との間に位置する。図では、一方の窪みのみが見えている。これら窪みは、タンブラー部の側壁７の長さ全体に亘って延在する。窪みは、後述するように、本スイッチを電気製品の壁に取り付けるために設けられているものである。基部はさらに二つの弾性リム９および10を有し、これらはそれぞれタンブラー部の短い方の側壁11または12と対面している。タンブラー部の短い方の各側壁11，12もまた、作動部分６とはね避け５との間にそれぞれ窪み13，14を有する。本スイッチを電気製品の壁16の開口部15内に固定するために、開口部16の二つの対面する縁部17は突起18を有する（図２参照）。電気器具自体は図示していない。本スイッチは、後述する手順によって壁16の開口部15内に取り付けられる（図３〜５参照）。本スイッチは傾斜した位置に保持され、タンブラー部２は電気器具の内側19より、突起18が窪み８と係合するように、開口部１５内へ傾斜して配置される（図３参照）。本スイッチを矢印Ｐで示すように揺動させることにより、突起18が窪み８を通して滑動し（図４参照）、本スイッチは、続いて、図５で示すような正しい位置に案内される。その後突起18は、作動部分６の下縁部20に対向する窪み８の中央部に位置し、弾性リム９，10の端部21，22は壁16の内面23に対してこれを押圧する。これによって、本スイッチは壁の開口部内に固定される。揺動動作の最終段階において（図４参照）、弾性リム９は開口部の縁部24から力を受け、その結果リム９は撓み、その端部25が、図で破線で示すように窪み13と係合する。この窪みによって、開口部の大きさを最小化することができる。
本実施形態においては、スイッチは長い方の側部と、二つの短い方の側部を有する矩形形状を有している。本スイッチが正方形形状または、平坦な側部を有するわずかに丸みを帯びた形状とすることが可能であることは明らかである。さらに、本スイッチはランプ26を有しても良い。
【図１】
0003909869.tif 000002
【図２】
0003909869.tif 000003
【図３】
0003909869.tif 000004
【図４】
0003909869.tif 000005
【図５】
0003909869.tif 000006